(57)【要約】【課題】  立体形の製品を台紙上に簡単に固定することができると同時に、該台紙を折り曲げ成形することにより製品を立設可能に保持することもできる製品固定用台紙を提供するものである。【解決手段】  左右縁部の縦方向に折り曲げ線を設けた横巾の広い中央の紙片と、該折り曲げ線の各々の外方に横巾の狭い紙片とにより構成し、該左右の紙片を該折り曲げ線に沿って折り曲げて前後に重ね固定することにより立体形が形成される可撓性を有する台紙において、中央紙片の下方側に製品固定用空間を形成し、該空間の下縁部側に該製品の底部を保持する支持片を折り曲げ自在に形成してなることを特徴とする製品固定用台紙。【選択図】図１
2005219787.tif 000002
【特許請求の範囲】
【請求項１】
左右縁部の縦方向に折り曲げ線を設けた横巾の広い中央の紙片と、該折り曲げ線の各々の外方に横巾の狭い紙片とにより構成し、該左右の紙片を該折り曲げ線に沿って折り曲げて前後に重ね固定することにより立体形が形成される可撓性を有する台紙において、中央紙片の下方側に製品固定用空間を形成し、該空間の下縁部側に該製品の底部を保持する支持片を折り曲げ自在に形成してなることを特徴とする製品固定用台紙。
【請求項２】
支持片は、略１／４円形状のものを前後方向に折り曲げ自在に併設してなることを特徴とする請求項１に記載の製品固定用台紙。
【請求項３】
空間の上縁部のほぼ中央部に、指先引っ掛け部となる切欠部を形成してなることを特徴とする請求項１又は２に記載の製品固定用台紙。
【請求項４】
空間の左右側縁部の延長線上に、凹溝を形成してなることを特徴とする請求項１ないし３のいずれか１に記載の製品固定用台紙。
【発明の詳細な説明】
【技術分野】
【０００１】
本発明は、化粧料、宝石、各種小物等を入れた容器や見本品又は小さな製品を固定するための立体を構成することのできる台紙に関する。
【背景技術】
【０００２】
化粧料、宝石、各種小物等を対象として収納する小さな容器又は各種小物そのものの立体形の製品（以下単に製品という）の多くは、従来より、いわゆるブリスタパックと呼ばれる方法で台紙に固定している。このブリスタバックは、台紙の上に製品を載せた後、透明なプラスチックのキャップを該製品を包み込むように被せた状態で台紙へ貼着することにより製品を固定する方法である。しかし、この固定方法は、該製品の固定コストが高く、また、製品を固定した台紙が嵩高くなり、この結果、第一種定型郵便物の封筒に入らなくなったり、保管や展示のためのスペースを多く占めたり、或いは見本品として街頭での頒布時に取り扱いが不便である等の問題点があった。そこで、上記嵩高性の問題点を解決するべく第一種定型郵便物の封筒に収納可能で、且つ台紙の表裏面に製品が突出するようにして製品を固定する製品固定用台紙が提案されている。
【特許文献１】特開平９−１７３１４０号公報
【発明の開示】
【発明が解決しようとする課題】
【０００３】
上記製品を固定する台紙は、平面状のため自立性がなく、立設展示が困難であった。また、台紙上に固定された製品は、該台紙の表裏面より突出することになるので、該製品は前後方向より押圧されることになり、その固定状態が不安定であった。
本発明の目的は、製品の取付け取外しが簡単で、台紙の加工費用及び取付け取外しコストが安価で済み、且つ製品を嵩ばらずに取外し可能に取付けることができ、更に、該固定状態を強固とすることができ、また、製品を立設状態で展示することを可能とした製品固定用台紙を提供することにある。
【課題を解決するための手段】
【０００４】
本発明は上記目的を達成したもので、その具体的構成は、左右縁部の縦方向に折り曲げ線を設けた横巾の広い中央の紙片と、該折り曲げ線の各々の外方に横巾の狭い紙片とにより構成し、該左右の紙片を該折り曲げ線に沿って折り曲げて前後に重ね固定することにより立体形が形成される可撓性を有する台紙において、中央紙片の下方側に製品固定用空間を形成し、該空間の下縁部側に該製品の底部を保持する支持片を折り曲げ自在に形成してなる製品固定用台紙を特徴とする。
【０００５】
また、上記支持片は、略１／４円形状のものを前後方向に折り曲げ自在に併設してなる製品固定用台紙を特徴とする。
【０００６】
更に、空間の上縁部のほぼ中央部に、指先引っ掛け部となる切欠部を形成してなる製品固定用台紙を特徴とする。
【０００７】
また、空間の左右側縁部の延長線上に、凹溝を形成してなる製品固定用台紙を特徴とする。
【発明の効果】
【０００８】
本発明は、１枚の平面状台紙に製品を固定することができ、且つ製品の取付け、取外しを簡単にすることができ、安価な手段で製品の展示が可能となった。
【０００９】
また、台紙を折り曲げ線に沿って折り曲げることにより、簡単に略かまぼこ形状の立体物を形成することができ、且つ後面側が左右の紙片の重なりにより強度を有する構造体とすることができ、該台紙を立設配置することが可能となった。従って、該台紙に固定された製品も立設配置することが可能となった。
【００１０】
更に、該台紙に形成した空間内への製品の取り付け取り外しが、空間部に形成した指先引っ掛け用切欠部によって容易に行なうことが可能となった。
【００１１】
また、製品を固定した空間の上方部の紙片部分を凹溝によって囲んだ溝間片部とすることにより、台紙を折り曲げた場合、該溝間片部の膨出が緩和され、製品の表面側の露出状態をより多くすることが可能となり、該製品の外形を可視するに十分な露出を得ることが可能となった。
【００１２】
更に、台紙材料を透明或いは半透明なプラスチック材料とすることにより、台紙上に固定された製品の裏側面を含め全体を可視することが可能となった。
【発明を実施するための最良の形態】
【００１３】
本発明の製品固定用台紙を実施例に基づいて以下に詳細に説明する。  
【００１４】
図１は、台紙の展開図を示している。台紙１は、略矩形状の可撓性を有する材料で形成し、折り曲げ線２，３を境界として折り曲げ紙片４，５，６の３片を形成している。該紙片４，５の折り曲げ部となる折り曲げ線２のほぼ中央部に沿って、該左側紙片４側に挿入孔７を形成する。該挿入孔７には、他の右側紙片６の縁部より外方へ突出形成した挿入片８が挿入自在となるように形成している。該挿入片８は、紙片６の縁部に沿った部分（図の点線部分）で折り曲げることにより該挿入孔７へ容易に挿入することができる。
【００１５】
上記紙片４，５，６の内、左右の紙片４．６の横巾Ｈ１、Ｈ３は、同一或いはほぼ同一とし、中央紙片５の横巾Ｈ３は、該左右の紙片４、６の横巾Ｈ１、Ｈ３より広く形成する。
従って、該折り曲げ線２，３に沿って左右の紙片４，６を後面側へ折り曲げ、該挿入片８を挿入孔７へ挿入することにより、図２、３に示すように中央紙片５が前方へ湾曲状に膨出し、全体が略かまぼこ型となる立体形が形成されることになる。
【００１６】
該中央紙片５の下方側には製品Ｗを配置固定するための空間Ｓを構成する切り取り部を形成し、その下縁部側には、該製品Ｗを保持するための支持片９、１０を空間Ｓへ突出構成する。
該支持片９、１０は、略１／４円形状をし、紙片５と支持片９，１０との間の折り曲げ線１１に沿って、該支持片９，１０を前方側或いは後方側への折り曲げを可能としている。
【００１７】
該支持片９は、他の支持片１０と併設して形成し、いずれか一方側の支持片を前方へほぼ９０°折り曲げ、他方側の支持片は後方へほぼ９０°折り曲げる。該折り曲げにより半欠状の円形平面が形成されることになる。該支持片９、１０の折り曲げ方は、上記説明以外に、共に前方或いは後方へと必要に応じて適宜行うことができる。
【００１８】
対象となる製品Ｗは、図４に示すような円筒状のもの或いは前後が略対称となるものであれば固定可能である。前記したように、化粧料、宝石、各種小物等を収納する容器や見本品又は小さな製品を対象とする。該製品Ｗの底部側に該支持片９、１０が係止することができれば固定が可能となる。例えば、該製品Ｗの外側壁Ｗ１を内側の収納部を構成する壁より下方へ延出形成し、突出部Ｗ２として形成すれば、外底部側に製品の底部Ｗ３とその周囲を囲繞する突出部Ｗ２とにより凹部ＷＳが形成されることになる。該凹部ＷＳに、上記折り曲げられた支持片９、１０を挿入することにより、製品Ｗの底部を固定できることになる。該製品Ｗは紙片５の空間Ｓに配置するが、その底部が上記のように固定されることになるので、該製品Ｗは該空間Ｓに固定された状態で止まることになる。
【００１９】
該空間Ｓを構成する上縁部に、そのほぼ中央部に切欠部１２を設けておくことにより、該切欠部１２は指先を引っ掛ける空間となり、製品Ｗの挿入及び取り出しが容易となる。
【００２０】
また、空間Ｓを構成する左右の側縁部の延長線上に凹溝１３を形成し、紙片５の中央部に溝間片部１４を形成することにより、該台紙１の折り曲げ線２，３に沿って折り曲げて全体が略かまぼこ型の立体物を形成した場合、紙片５は湾曲状に膨出することになるが、該溝間片部１４は該凹溝１３の存在により当該部分で折れて膨出状態を緩和することになる。
該溝間片部１４は、平行状のものでよいが、左右に形成された凹溝１３を連続状態とし、図１〜３に示す半円形の連続溝とすることもできる。
【図面の簡単な説明】
【００２１】
【図１】本発明の製品固定用台紙の展開平面図。
【図２】本発明の製品固定用台紙の上方側からの斜視図。
【図３】本発明の製品固定用台紙の下方側からの斜視図。
【図４】製品の底部側からの斜視図。
【符号の説明】
【００２２】
１．        台紙
２．３．    折り曲げ線
４．５．６．紙片    
７．        挿入孔
８．        挿入片
９．１０．  支持片  
１１．        折り曲げ線
１２．        切欠部
１３．        凹溝
１４．        溝間片部
【図１】
2005219787.tif 000003
【図２】
2005219787.tif 000004
【図３】
2005219787.tif 000005
【図４】
2005219787.tif 000006